(57)【要約】      （修正有）【課題】移動中に脱いだ衣類を、歩きながらでも簡単かつコンパクトに掛けられ、移動先では衣類を掛け直す手間のいらない、至便なハンガーを提供する。【解決手段】上部の枠とそれにぶら下がるように取り付けた下部の枠から構成しており、衣類の丈に応じて、衣類を中央の掛け棒２または上部の掛け棒１に掛けてから、中央の掛け棒２を軸にして回転させて、上部の枠に重ねて折り畳み、留め金で固定する。掛けた衣類はハンガーと同時に折り畳まれる為に、片手でも簡単かつコンパクトに畳む事ができる。鞄装着用の鎖６で鞄に装着する為、鞄だけを持つ感覚で衣類に気を掛けず移動できる。移動先では、ハンガー上部の左右両方に備えたハンガー掛けフック７で、椅子の背もたれや間仕切りの衝立に、鞄に装着したままのハンガーを、鞄ごと安定して吊るす事ができる。【選択図】図１
0003180269.tif 000002
【実用新案登録請求の範囲】
【請求項１】
上部の枠とそれにぶら下がるように取り付けた下部の枠から構成しており、衣類を掛けてから、下部の枠をハンガー中央の掛け棒を軸にして回転させて、上部の枠に重ねて折り畳む事で、掛けた衣類を同時に折り畳めるようにした、鞄に装着できるハンガーである。移動中に歩きながらでも、脱いだ衣類を片手で簡単にハンガーに掛けて、コンパクトに折り畳む事ができる。
【請求項２】
衣類を掛ける場合に最初に掛ける掛け棒が、ハンガー上下中央部とハンガー上部の２箇所にあり、スーツの上着などの丈であれば、中央の掛け棒に掛けて畳むと、２回折り畳まれ、マフラーやズボン等の長い丈であれば、ハンガー上部の掛け棒に掛ける事で、３回折り畳めるようになり、どの様な長さの衣類でもコンパクトになり移動時に適している。
【請求項３】
ハンガー上部の左右両側に２つのフックを装備しており、衣類を掛けたままは勿論、ハンガーを鞄に装着したままの状態でも、椅子の背もたれや間仕切りの衝立等に安定して吊るす事ができるようにしている。これにより移動先では、衣類を掛けた鞄をそのままの状態で身近に吊るしておける為、衣類も鞄も汚れる事なく、いつでもすぐに手に届き至便である。
【考案の詳細な説明】
【技術分野】
【０００１】
本考案は、外出時の移動中及び外出先で用いる至便なハンガーに関するものである。
【背景技術】
【０００２】
移動中に脱いだ衣類、例えばスーツの上着等は、腕に掛けたり、手に持って移動していると、皺ができる事や手が塞がるなどの煩わしさがある為、既に考案されているような、片手で鞄と共に持てるハンガーや、鞄に装着できるハンガーを使用する事が考えられる。
【０００３】
これらのハンガーは、上着を横半分に折って掛けた場合、移動中に階段など段差がある所では、地面に引き摺ってしまう事を想定して、コンパクトに折り畳む事ができる考案もある。（例えば、特許文献１や特許文献２参照）
【０００４】
また勤務先等では、室内の温度変化に合わせて上着を着用したり、脱いだりと体温調節する場合や、来客がある度に上着を着用する事がある場合は、上着を離れたロッカーには入れずに、手の届きやすい、椅子の背もたれにそのまま掛けたり、ハンガーで間仕切りの衝立に掛けたりしていた。
【先行技術文献】
【特許文献】
【０００５】
【特許文献１】特開２００１−０７００２９号公報
【特許文献２】特開２００４−１１３４４６号公報
【考案の概要】
【考案が解決しようとする課題】
【０００６】
移動中に脱いだ上着をハンガーに掛けるには、通常のハンガーでは一旦荷物を置いてからでなければ難しく、鞄に装着したハンガーであれば、片手に鞄を持ちながら、もう片方の手で掛ける事はできるが、掛けた上着が地面に摺らないように、さらに折り畳む事が容易にはできない。
【０００７】
また上着であれば、横に半分に折ってハンガーに掛けて、もう一度横に折り畳めば、地面に摺らない程度にコンパクトにできるが、それよりも長いマフラーやズボンなどの衣類は、それでも長い為に地面に摺らないように注意しなければならない。
【０００８】
移動から勤務先に到着後は、鞄に装着したハンガーに上着を掛けたまま、鞄を床に置くと上着が汚れてしまう為、ハンガーから上着を取り、どこかへ掛け直す必要があり面倒である。
【０００９】
上着を頻繁に着用したり脱いだりする場合には、手の届く範囲に掛けておきたい為に、椅子の背もたれに掛けておく事がよくあるが、そうした場合、背中に上着が当たり、皺になったり、気付かない間に床に落ちる事がある。
【課題を解決するための手段】
【００１０】
本考案のハンガーは、鞄に装着するハンガーで、ハンガー自身が上下２つ折りに畳めるようになっており、スーツの上着を掛ける場合は、先ず縦半分に上着を折ってから、横半分に折られるようにハンガーの上下中央の掛け棒に掛ける。そしてハンガーの下半分を上着と共に持ち上げるように折り返す事で、下部の掛け棒にさらに上着が折られて、２回折り返された長さになる。ハンガーごと上着を折り返す為に片手でも簡単に操作でき、移動中に歩きながらでも可能である。
【００１１】
マフラーやズボン等の上着より長い衣類は、ハンガー上部の掛け棒に横半分に折られるように掛けて、ハンガーの下半分を持ち上げるように折り返す事で、衣類が中央の掛け棒と下部の掛け棒に折り畳まれ、３回折り返された長さになる。これにより長い衣類であっても、地面に引き摺る心配が無くなる。
【００１２】
本考案のハンガーは、椅子の背もたれや衝立に掛ける事が出来るフックを装備しており、勤務先等に到着すれば、移動中に衣類を掛けたままの状態で、そのフックで、椅子の背もたれ等の身近な場所に、鞄ごと吊るす事ができるようにしている。これにより鞄を床に置く必要もなく、鞄も衣類も手の届く範囲においておける。フックは椅子の背もたれに掛けても安定しているように左右両側に２本装備し、必要な時に引き出して使用する。
【図面の簡単な説明】
【００１３】
【図１】衣類を掛けた実施例を示す図
【図２】長い衣類を掛けた実施例を示す図
【図３】フックの実施例を示す図
【図４】開いた状態の平面図
【図５】折り畳み、鞄に装着した平面図
【考案を実施するための形態】
【００１４】
ハンガーは上部と下部があり、下部は中央の掛け棒を軸に、回転して畳めるように上部と接続しており、短めの衣類を掛ける場合は、中央の掛け棒に衣類を掛けて、垂れ下がっている部分を、下部の掛け棒の表側に出した状態にし、ハンガーの下部を上部に重ね閉じるようにして、上部の留め金で固定する。長めの衣類であれば、ハンガー上部の掛け棒に衣類を掛けて、垂れ下がった部分を、中央の掛け棒の裏側を通して下部の掛け棒の表側に出した状態にし、同様に下部を上部に重ね閉じて固定する。これにより、どの長さの衣類もコンパクトに畳む事が出来る。またハンガーの上部にはフックを２つ装備しており、使う場合は上に伸ばして、左右に回転させて、椅子の背もたれ等に吊るす事が出来るようになっている。
【実施例】
【００１５】
図１に従って上着を掛ける場合の実施例を示す。縦２つ折りにした上着をハンガー中央の掛け棒２に、上着の横半分ぐらいの位置で掛け、上着の垂れ下がった部分を、ハンガー下部の掛け棒３に掛かるように棒の表側に出す。ハンガー下部の留め金掛け側５を上着と共にハンガー上部と重ねるように持ち上げて、ハンガー上部の留め金４で、下部の掛け側５を引っ掛けて固定する。図１はハンガー下部を上着と共に持ち上げている途中の図である。
【００１６】
図２に従ってズボンを掛ける場合の実施例を示す。ズボンをハンガー上部の掛け棒１に、ズボンの横半分ぐらいの位置で掛け、ズボンの垂れ下がった部分を、中央の掛け棒２に掛かるように棒の裏側を通して、さらにハンガー下部の掛け棒３に掛かるように棒の表側に出す。ハンガー下部の留め金掛け側５をズボンと共にハンガー上部と重ねるように持ち上げて、ハンガー上部の留め金４で、下部の掛け側５を引っ掛けて固定する。図２はハンガー下部をズボンと共に持ち上げている途中の図である。
【００１７】
図３に従ってハンガーを椅子の背もたれに吊るす実施例を示す。ハンガーに装備しているフック７を上に伸ばし、フックの掛ける側を椅子の背もたれ側に向くように回して掛ける。椅子が後ろに倒れない重さの鞄であれば、鞄を装着用の鎖６で繋げたままの状態で、鞄ごと背もたれに掛ける事ができる。
【符号の説明】
【００１８】
１  上部の掛け棒
２  中央の掛け棒
３  下部の掛け棒
４  畳んだハンガーの留め金
５  ハンガー下部の留め金掛け側
６  鞄装着用の鎖
７  ハンガー掛けフック
８  フック固定部
【図１】
0003180269.tif 000003
【図２】
0003180269.tif 000004
【図３】
0003180269.tif 000005
【図４】
0003180269.tif 000006
【図５】
0003180269.tif 000007
【手続補正書】
【提出日】平成24年10月13日(2012.10.13)
【手続補正１】
【補正対象書類名】実用新案登録請求の範囲
【補正対象項目名】全文
【補正方法】変更
【補正の内容】
【実用新案登録請求の範囲】
【請求項１】
衣類を折り畳んで保持するハンガーで、鞄に装着する側の上部の枠に、中央の掛け棒２と
下部の掛け棒３を設けた下部の枠を、中央の掛け棒２を軸に手前に回転させて折り畳める
ように取り付けた、鞄に装着する外出時用ハンガー。
【請求項２】
請求項１のハンガーにおいて、上部の枠に長めの衣類を掛ける為の上部の掛け棒１を設け
た事を特徴とする請求項１記載の外出時用ハンガー。
【請求項３】
請求項１のハンガーにおいて、鞄に装着する側の上部の枠の左右両側に、ハンガー自体を
掛ける為のハンガー掛けフックを、フックの接続部分が伸縮と回転ができるように取り付
けた外出時用ハンガー。